(57)【特許請求の範囲】
【請求項１】
略直方体形状を有する空気調和機（１）の梱包部材集合体（２）であって、
前記空気調和機（１）の上部に装着される上部梱包部材（１１）と、
前記空気調和機（１）の下部に装着される下部梱包部材（１５）と、
前記空気調和機（１）の付属品を収納し、前記空気調和機（１）の一側面に装着される付属品梱包部材（１９）とを備え、
前記付属品梱包部材（１９）の一部は、前記空気調和機（１）の一側面に装着された状態において、前記下部梱包部材（１５）の縁部から外方に突出しており、
前記下部梱包部材（１５）は、前記付属品梱包部材（１９）が装着されていない面に対応する縁部に、隣接する前記梱包部材集合体（２）の下部梱包部材（１５）の縁部から外方に突出している前記付属品梱包部材（１９）の一部を重ねることができる、
空気調和機の梱包部材集合体（２）。
【請求項２】
前記下部梱包部材（１５）は、略直方体形状であり、
前記下部梱包部材（１５）は、前記付属品梱包部材（１９）が装着された縁部の一辺の対辺に、隣接する前記梱包部材集合体（２）の前記下部梱包部材（１５）の縁部から外方に突出している前記付属品梱包部材（１９）の一部を前記対辺に沿う方向に対して移動不能に支持できる突出側支持部（１５ｂ）が形成されている、
請求項１に記載の空気調和機の梱包部材集合体（２）。
【請求項３】
略直方体形状を有する空気調和機（１）の梱包部材集合体（２）であって、
前記空気調和機（１）の上部に装着される上部梱包部材（１１）と、
前記空気調和機（１）の下部に装着される下部梱包部材（１５）と、
前記空気調和機（１）の付属品を収納し、前記空気調和機（１）の一側面に装着される付属品梱包部材（１９）とを備え、
前記付属品梱包部材（１９）の一部は、前記空気調和機（１）の一側面に装着された状態において、前記下部梱包部材（１５）の縁部から外方に突出しており、
前記下部梱包部材（１５）は、略直方体形状であり、
前記下部梱包部材（１５）の縁部の一辺には、前記付属品梱包部材（１９）をこの一辺に沿う方向に対して移動不能に支持するための装着側支持部（１５ａ）が形成されており、
前記装着側支持部（１５ａ）が形成されている一辺の対辺には、隣接する前記梱包部材集合体（２）の前記下部梱包部材（１５）の縁部から外方に突出している前記付属品梱包部材（１９）の一部を前記対辺に沿う方向に対して移動不能に支持できる突出側支持部（１５ｂ）がさらに形成されている、
空気調和機の梱包部材集合体（２）。
【請求項４】
前記装着側支持部、及び又は、前記突出側支持部（１５ａ、１５ｂ）は、前記下部梱包部材（１５）の縁部を切り欠いた凹み（１７ａ、１７ｂ、１８ａ、１８ｂ）である、請求項２又は３に記載の空気調和機の梱包部材集合体（２）。
【請求項５】
略直方体形状を有する空気調和機（１）の一側面に前記空気調和機（１）の付属品を収納した付属品梱包部材（１９）を装着し、前記空気調和機（１）の上部及び下部に略直方体形状の上部梱包部材（１１）及び下部梱包部材（１５）を装着し、前記付属品梱包部材（１９）の一部を前記下部梱包部材（１５）の縁部から外方に突出させる梱包部材装着工程と、
梱包部材装着工程の後、前記空気調和機（１）の付属品梱包部材（１９）の外方に突出した一部が隣接する前記空気調和機（１）の下部梱包部材（１５）に重なるように複数の前記空気調和機（１）を配置し、段積する空気調和機積載工程と、
を備えた複数の空気調和機の積載方法。
【請求項６】
前記梱包部材装着工程は、前記付属品梱包部材（１９）を前記下部梱包部材（１５）の縁部の一辺に形成された装着側支持部（１５ａ）により、前記一辺に沿う方向に対して移動不能に支持する付属品梱包部材支持工程を含み、
前記空気調和機積載工程は、前記装着側支持部（１５ａ）が形成されている一辺の対辺に形成された突出側支持部（１５ｂ）により、隣接する前記梱包部材集合体（２）の前記下部梱包部材（１５）の縁部から外方に突出している前記付属品梱包部材（１９）の一部を前記対辺に沿う方向に対して移動不能に支持し、隣接する前記空気調和機（１）同士を移動不能にする空気調和機位置決め工程を含んでいる、
請求項５に記載の複数の空気調和機の積載方法。
【発明の詳細な説明】
【０００１】
【発明の属する技術分野】
本発明は、空気調和機の梱包部材集合体及び空気調和機の積載方法に関する。
【０００２】
【従来の技術】
空気調和機の室外機等の梱包の一例として、室外機の上部及び下部に装着される上部及び下部梱包部材からなる梱包部材集合体により梱包されているものがある。このような梱包部材集合体の上部及び下部梱包部材は、段ボール製のトレー部材と、このトレー部材の内部に備えられ室外機の上部及び下部に嵌合する樹脂製の緩衝材とから構成されている。ここで、上部及び下部梱包部材は、室外機の上部及び下部を覆うことができるようなサイズを有している。
【０００３】
ところで、空気調和機の一種に、空調されている室内に外気を取り込み、室内の湿度を調節する機能を有するものがある。このような調湿機能を有する空気調和機においては、室外機から室内機に外気を導くための吸気用ホース等の付属品が必要となる。そして、これらの付属品は、室外機の付属品として室外機とともに梱包されている。
【０００４】
【発明が解決しようとする課題】
上記の付属品を含む室外機の梱包は、付属品を段ボール製の箱からなる付属品梱包部材に収納したものを室外機の一側面に装着し、上部及び下部梱包部材を室外機の上部及び下部に装着することで行われる。ここで、上部及び下部梱包部材は、室外機だけでなく付属品梱包部材も考慮した寸法を有している。すなわち、付属品を有していない空気調和機の室外機よりも上部及び下部梱包部材のサイズが大きくなっている。
【０００５】
このため、上部及び下部梱包部材の材料使用量が増加してしまう。また、梱包済みの室外機１台あたりの専有面積が大きくなるため、積載保管時のパレットへの積載効率が悪くなってしまう。
本発明の課題は、付属品を有する空気調和機の梱包において、梱包材料の材料使用量を減少させることにある。また、積載保管時における梱包済みの空気調和機のパレットへの積載効率を向上させることにある。
【０００６】
【課題を解決するための手段】
請求項１に記載の空気調和機の梱包部材集合体は、略直方体形状を有する空気調和機の梱包部材集合体であって、空気調和機の上部に装着される上部梱包部材と、空気調和機の下部に装着される下部梱包部材と、空気調和機の一側面に装着される付属品梱包部材とを備えている。ここで、付属品梱包部材は、空気調和機の付属品を収納する部材である。そして、付属品梱包部材の一部は、空気調和機の一側面に装着された状態において、下部梱包部材の縁部から外方に突出している。下部梱包部材は、付属品梱包部材が装着されていない面に対応する縁部に、隣接する梱包部材集合体の下部梱包部材の縁部から外方に突出している付属品梱包部材の一部を重ねることができる。
【０００７】
この空気調和機の梱包部材集合体では、上部梱包部材及び下部梱包部材のサイズを小さくして、付属品梱包部材の一部が、空気調和機の一側面に装着された状態において、下部梱包部材の縁部から外方に突出するようにしている。そして、突出した付属品梱包部材の一部は、梱包済みの空気調和機を積載する際、隣接する梱包部材集合体の付属品梱包部材が装着されていない面に対応する下部梱包部材の縁部に重ねることができる。
【０００８】
これにより、上部梱包部材及び下部梱包部材の材料使用量を減少させることができる。また、梱包済みの空気調和機１台あたりの専有面積を小さくできるため、積載保管時のパレットへの積載効率を向上させることができる。
請求項２に記載の空気調和機の梱包部材集合体は、請求項１において、下部梱包部材は略直方体形状であり、下部梱包部材は、付属品梱包部材が装着された縁部の一辺の対辺に、隣接する梱包部材集合体の下部梱包部材の縁部から外方に突出している付属品梱包部材の一部を対辺に沿う方向に対して移動不能に支持できる突出側支持部が形成されている。
【０００９】
請求項３に記載の空気調和機の梱包部材集合体は、略直方体形状を有する空気調和機の梱包部材集合体であって、空気調和機の上部に装着される上部梱包部材と、空気調和機の下部に装着される下部梱包部材と、空気調和機の一側面に装着される付属品梱包部材とを備えている。ここで、付属品梱包部材は、空気調和機の付属品を収納する部材である。そして、下部梱包部材は略直方体形状であり、下部梱包部材の縁部の一辺には、付属品梱包部材をこの一辺に沿う方向に対して移動不能に支持するための装着側支持部が形成されている。また、装着側支持部が形成されている一辺の対辺には、突出側支持部が形成されている。突出側支持部は、隣接する梱包部材集合体の下部梱包部材の縁部から外方に突出している付属品梱包部材の一部を対辺に沿う方向に対して移動不能に支持している。
【００１０】
この空気調和機の梱包部材集合体では、略直方体形状の下部梱包部材の一辺には装着側支持部が設けられており、付属品梱包部材の下部のうち外方に突出していない部分をこの一辺に沿う方向に対して移動不能に支持している。また、下部梱包部材の一辺の対辺には突出側支持部が設けられており、隣接する梱包部材集合体の付属品梱包部材の下部のうち外方に突出している部分をこの対辺に沿う方向に対して移動不能に支持している。つまり、付属品梱包部材は、装着されている梱包部材集合体及びそれに隣接する梱包部材集合体に対して、突出方向と直交する方向に移動不能に支持されている。言い換えれば、付属品梱包部材によって、隣接する梱包部材集合体同士が付属品梱包部材の突出方向と直交する方向に移動不能に支持されている。
【００１１】
これにより、梱包済みの空気調和機をパレットに積載する際、梱包部材集合体は、付属品梱包部材の突出方向と直交する方向に対して、積みずれしにくくなっている。
請求項４に記載の空気調和機の梱包部材集合体は、請求項２又は３において、装着側支持部、及び又は、突出側支持部は下部梱包部材の縁部を切り欠いた凹みである。
【００１２】
この空気調和機の梱包部材集合体では、装着側支持部、及び又は、突出側支持部が下部梱包部材の縁部を切り欠いた凹みという簡単な形状であるため、下部梱包部材への加工が容易である。
請求項５に記載の複数の空気調和機の積載方法は、以下のような工程を備えている。
【００１３】
略直方体形状を有する空気調和機の一側面に空気調和機の付属品を収納した付属品梱包部材を装着し、空気調和機の上部及び下部に略直方体形状の上部梱包部材及び下部梱包部材を装着し、付属品梱包部材の一部を下部梱包部材の縁部から外方に突出させる梱包部材装着工程
梱包部材装着工程の後、空気調和機の付属品梱包部材の外方に突出した一部が隣接する空気調和機の下部梱包部材に重なるように複数の空気調和機を配置し、段積する空気調和機積載工程
この複数の空気調和機の積載方法では、梱包部材装着工程において、空気調和機の一側面に装着された付属品梱包部材の一部を下部梱包部材の縁部から外方に突出するようにしている。そして、空気調和機積載工程において、突出した付属品梱包部材の一部を隣接する梱包部材集合体の付属品梱包部材が装着されていない面に対応する下部梱包部材の縁部に重ねて積載している。
【００１４】
これにより、上部梱包部材及び下部梱包部材の材料使用量を減少させることができる。また、梱包済みの空気調和機１台あたりの専有面積を小さくできるため、積載保管時のパレットへの積載効率を向上させることができる。
請求項６に記載の複数の空気調和機の積載方法は、請求項５において、梱包部材装着工程は、付属品梱包部材支持工程を含んでいる。付属品梱包部材支持工程は、下部梱包部材の縁部の一辺に形成された装着側支持部により、付属品梱包部材の下部を一辺に沿う方向に対して移動不能に支持する。空気調和機積載工程は、空気調和機位置決め工程を含んでいる。空気調和機位置決め工程は、装着側支持部が形成されている一辺の対辺に形成された突出側支持部により、隣接する梱包部材集合体の下部梱包部材の縁部から外方に突出している付属品梱包部材の一部を対辺に沿う方向に対して移動不能に支持し、隣接する空気調和機同士を移動不能にする。
【００１５】
この複数の空気調和機の積載方法では、付属品梱包部材装着工程において、付属品梱包部材の下部のうち外方に突出していない部分を略直方体形状の下部梱包部材の一辺に設けられた装着側支持部によって、この一辺に沿う方向に対して移動不能に支持している。また、空気調和機位置決め工程において、隣接する梱包部材集合体の付属品梱包部材の下部のうち外方に突出している部分を下部梱包部材の一辺の対辺に設けられた突出側支持部によって、この対辺に沿う方向に対して移動不能に支持している。つまり、付属品梱包部材によって、隣接する梱包部材集合体同士が付属品梱包部材の突出方向と直交する方向に移動不能に支持されている。
【００１６】
これにより、梱包済みの空気調和機をパレットに積載する際、梱包部材集合体は、付属品梱包部材の突出方向と直交する方向に対して、積みずれしにくくなっている。
【００１７】
【発明の実施の形態】
以下、本発明の一実施形態を図面に基づいて説明する。
（１）空気調和機の梱包部材集合体の構成
図１は本発明の一実施形態にかかる空気調和機の室外機（以下、室外機１とする）の梱包部材集合体２の分解斜視図を示し、図２は梱包部材集合体２によって梱包された室外機１の外観斜視図を示している。
【００１８】
図１及び図２に示すように、梱包部材集合体２は、略直方体形状の室外機１を梱包するための部材であり、室外機１の上部を保護するための上部梱包部材１１と、室外機１の下部を保護するための下部梱包部材１５と、室外機１の一側面に装着された付属品梱包部材１９とを備えている。
上部梱包部材１１は、上トレー部材１２と、上緩衝部材１３、１４とを備えている。上トレー部材１２は、段ボール製の直方体の箱状部材であり、その下面が解放され開口が形成されている。上緩衝部材１３、１４は、室外機１の上部の長手方向の端部の形状に合う凹凸が形成された樹脂製の部材であり、上トレー部材１２の開口の長手方向の両端部に配置されている。
【００１９】
付属品梱包部材１９は、例えば、調湿機能を有する空気調和機における吸気用ホース等の室外機の付属品を収納している段ボール製の直方体の箱状部材であり、室外機１の一側面にテープ２０によって固定されている。
下部梱包部材１５は、下トレー部材１６と、下緩衝部材１７、１８とを備えている。下トレー部材１６は、段ボール製の直方体の箱状部材であり、その上面が解放され開口が形成されている。下緩衝部材１７、１８は、室外機１の下部の長手方向の端部の形状に合う凹凸が形成された樹脂製の部材であり、下トレー部材１６の開口の長手方向の両端部に配置されている。
【００２０】
下部梱包部材１５の長手方向縁部の一辺には、付属品梱包部材１９の下部を下部梱包部材１５の長手方向に移動不能に支持する第１支持部１５ａ（装着側支持部）が形成されている。本実施形態において、第１支持部１５ａは、付属品梱包部材１９の下部の長手方向の両端部の形状に合うように下緩衝部材１７、１８の縁部を切り欠いた凹み１７ａ、１８ａである。ここで、凹み１７ａ、１８ａの下部梱包部材１５の長手方向に直交する方向の長さと下トレー部材１６の段ボール厚みとの和（凹み幅Ｗ２とする）は、付属品梱包部材１９の長手方向に直交する方向の長さＷ１よりも小さい。これにより、付属品梱包部材１９の下部は、第１支持部１５ａに支持され、かつ、下部梱包部材１５の縁部の一辺から外方に突出している。
【００２１】
また、第１支持部１５ａが形成された下部梱包部材１５の長手方向縁部の一辺の対辺には、第２支持部１５ｂ（突出側支持部）が形成されている。第２支持部１５ｂは、第１支持部１５ａと同様、付属品梱包部材１９の下部の長手方向の両端部の形状に合うように下緩衝部材１７、１８の縁部を切り欠いた凹み１７ｂ、１８ｂである。ここで、凹み１７ｂ、１８ｂの下部梱包部材１５の長手方向に直交する方向の長さと下トレー部材１６の段ボール厚みとの和（凹み幅Ｗ３とする）は、長さＷ１と凹み幅Ｗ２との差以上の長さを有している。
【００２２】
（２）梱包部材集合体により梱包された空気調和機のパレットへの積載
梱包部材集合体２により梱包された室外機１をパレットに積載する方法について説明する。
（Ａ）梱包部材装着工程、付属品梱包部材支持工程
まず、図１及び図２に示すように、室外機１の一側面に付属品梱包部材１９をテープ２０で固定し、さらに、保護フィルム（図示せず）を付属品梱包部材１９を含む室外機１に被せる。続いて、室外機１の上部及び下部に上部梱包部材１１及び下部梱包部材１５を装着する。このとき、付属品梱包部材１９の下部を下部梱包部材１５の第１支持部１５ａに嵌め込むことで、付属品梱包部材１９が下部梱包部材１５に対して長手方向に移動不能に支持され、かつ、付属品梱包部材１９の一部が下部梱包部材１５の外方に突出される。
【００２３】
（Ｂ）空気調和機積載工程、空気調和機位置決め工程
次に、図４に示すように、梱包部材集合体２により梱包された室外機１をパレット３に積載する。ここで、付属品梱包部材１９の下部は、外方に突出した部分が隣接する梱包部材集合体２の下部梱包部材１５の端部に重なるように配置され、さらに、第２支持部１５ｂに嵌り込んで、隣接する梱包部材集合体２の下部梱包部材１５に対しても長手方向に移動不能に支持される。すなわち、付属品梱包部材１９によって、隣接する梱包済みの室外機１同士が互いに長手方向に移動不能に支持される。このようにして、パレット３上に、複数の梱包済みの室外機１を積載する。
【００２４】
（３）空気調和機の梱包部材集合体の特徴
本実施形態の梱包部材集合体には、以下の特徴がある。
（Ａ）付属品梱包部材の一部を下部梱包部材から突出させることによる上部及び下部梱包部材のサイズの低減
従来例の室外機１の梱包部材集合体２２では、図３に示すように、上部梱包部材３１及び下部梱包部材３５によって、付属品梱包部材１９を含む室外機１の上部及び下部を全て覆うようになっている。すなわち、付属品を有していない室外機に比べて、上部及び下部梱包部材のサイズが大きくなっている。
【００２５】
一方、本実施形態の室外機１の梱包部材集合体２では、図２に示すように、上部梱包部材１１及び下部梱包部材１５によって、室外機１の上部及び下部を覆うようになっているが、室外機１の一側面に装着された付属品梱包部材１９の一部は、下部梱包部材１５の縁部から外方に突出するようになっている。すなわち、従来例の室外機１の梱包部材集合体２２の上部梱包部材３１及び下部梱包部材３５に比べて、付属品梱包部材１９が外方に突出している分だけ上部梱包部材１１及び下部梱包部材１５のサイズが小さくなっている。本実施形態においては、付属品を有していない室外機の上部及び下部梱包部材と同程度のサイズになっている。これにより、上部梱包部材及び下部梱包部材の材料使用量を減少させることができる。
【００２６】
（Ｂ）上部及び下部梱包部材のサイズの低減による積載効率の向上
上記に説明したように、本実施形態の梱包部材集合体２では、従来例の梱包部材集合体２２に比べて、上部梱包部材１１及び下部梱包部材１５のサイズが小さくなっている。そして、パレット３に積載する際、図４に示すように、外方に突出した付属品梱包部材１９の一部を隣接する梱包済みの室外機１の付属品梱包部材１９が装着されていない側面に重ねるようにして配置している。これにより、従来例の上部梱包部材３１及び下部梱包部材３５を用いて梱包された室外機１を積載する場合（図５参照）に比べて、多くの梱包済みの室外機１を積載できる。
【００２７】
また、付属品梱包部材１９は段ボール製であり緩衝性を有しているため、梱包済みの空気調和機２を積載する際に、隣接する空気調和機１の側面を傷つけるおそれが少ない。
（Ｃ）第１支持部及び第２支持部によるパレット積載時の積みずれの低減
本実施形態の梱包部材集合体２では、パレット３に積載する際、図４に示すように、付属品梱包部材１９の一部を第１支持部１５ａによって長手方向に移動不能に支持し、さらに、隣接する梱包部材集合体２の第２支持部１５ｂによって長手方向に移動不能に支持している。つまり、付属品梱包部材１９によって、隣接する梱包部材集合体２同士が付属品梱包部材１９の長手方向に移動不能に支持されている。これにより、梱包済みの室外機１をパレット３に積載する際、梱包部材集合体２は、下部梱包部材１５の長手方向、すなわち、付属品梱包部材１９の突出方向と直交する方向に対して、積みずれしにくくなっている。
【００２８】
（４）他の実施形態
以上、本発明の実施形態について図面に基づいて説明したが、具体的な構成は、この実施形態に限られるものではなく、発明の要旨を逸脱しない範囲で変更可能である。
例えば、この実施形態において、第１支持部１５ａ及び第２支持部１５ｂは、下緩衝部材１７、１８の縁部の一辺を切り欠いた凹み１７ａ、１８ａ及び下緩衝部材１７、１８の縁部の対辺を切り欠いた凹み１７ｂ、１８ｂとしているが、下緩衝部材１７、１８の縁部に付属品梱包部材１９の長手方向を挟む突起を設けた構成であってもよい。
【００２９】
【発明の効果】
以上の説明に述べたように、本発明によれば、以下の効果が得られる。
請求項１又は２にかかる発明では、上部梱包部材及び下部梱包部材のサイズを小さくしているため、空気調和機の梱包部材集合体の付属品梱包部材の一部が空気調和機の一側面に装着された状態において、下部梱包部材の縁部から外方に突出している。これにより、上部梱包部材及び下部梱包部材の材料使用量を減少させることができる。また、突出した付属品梱包部材の一部は、梱包済みの空気調和機を積載する際、隣接する梱包部材集合体の付属品梱包部材が装着されていない面に対応する下部梱包部材の縁部に重ねることができるため、梱包済みの空気調和機１台あたりの専有面積を小さくでき、積載保管時のパレットへの積載効率を向上させることができる。
【００３０】
請求項３にかかる発明では、空気調和機の梱包部材集合体の付属品梱包部材は、下部梱包部材の一辺に形成された装着側支持部と、下部梱包部材の一辺の対辺に形成された突出側支持部と、付属品梱包部材とによって、隣接する梱包部材集合体同士が付属品梱包部材の突出方向と直交する方向に移動不能に支持されている。これにより、梱包済みの空気調和機をパレットに積載する際、梱包部材集合体は、付属品梱包部材の突出方向と直交する方向に対して、積みずれしにくくなっている。
【００３１】
請求項４にかかる発明では、空気調和機の梱包部材集合体の装着側支持部、及び又は、突出側支持部が下部梱包部材の縁部を切り欠いた凹みという簡単な形状であるため、下部梱包部材への加工が容易である。
請求項５にかかる発明では、梱包部材装着工程において、空気調和機の一側面に装着された付属品梱包部材の一部を下部梱包部材の縁部から外方に突出するようにしている。そして、空気調和機積載工程において、突出した付属品梱包部材の一部を隣接する梱包部材集合体の付属品梱包部材が装着されていない面に対応する下部梱包部材の縁部に重ねて積載している。これにより、上部梱包部材及び下部梱包部材の材料使用量を減少させることができる。また、梱包済みの空気調和機１台あたりの専有面積を小さくできるため、積載保管時のパレットへの積載効率を向上させることができる。
【００３２】
請求項６にかかる発明では、付属品梱包部材装着工程において、付属品梱包部材の下部のうち外方に突出していない部分を略直方体形状の下部梱包部材の一辺に設けられた装着側支持部によって、この一辺に沿う方向に対して移動不能に支持している。また、空気調和機位置決め工程において、隣接する梱包部材集合体の付属品梱包部材の下部のうち外方に突出している部分を下部梱包部材の一辺の対辺に設けられた突出側支持部によって、この対辺に沿う方向に対して移動不能に支持している。これにより、梱包済みの空気調和機をパレットに積載する際、梱包部材集合体は、付属品梱包部材の突出方向と直交する方向に対して、積みずれしにくくなっている。
【図面の簡単な説明】
【図１】  本発明の一実施形態にかかる空気調和機の梱包部材集合体の分解斜視図。
【図２】  本発明の一実施形態にかかる梱包部材集合体によって梱包された空気調和機の外観斜視図。
【図３】  従来例の梱包部材集合体によって梱包された空気調和機の外観斜視図。
【図４】  本発明の一実施形態にかかる梱包部材集合体によって梱包された空気調和機をパレットに積載したときの状態を示す図。
【図５】  従来例の梱包部材集合体によって梱包された空気調和機をパレットに積載したときの状態を示す図。
【符号の説明】
１    室外機（空気調和機）
２    梱包部材集合体
１１    上部梱包部材
１５    下部梱包部材
１５ａ  第１支持部
１５ｂ  第２支持部
１９    付属品梱包部材
【図１】
0003668749.tif 000002
【図２】
0003668749.tif 000003
【図３】
0003668749.tif 000004
【図４】
0003668749.tif 000005
【図５】
0003668749.tif 000006